(57)【特許請求の範囲】
【請求項１】
本体と；
該本体内部の一方側に設けられたヤニ取りユニットと、該本体の外部に設けられ、該ヤニ取りユニットに接続され、且つ外部から燃焼用新鮮エアを取込むヤニ取り用吸気ファンと、該取込みヤニ取り用吸気ファンに隣接して設けられ、該吸気ファンに接続されたプロセス・ガス・ダクトと、該プロセス・ガス・ダクトに隣接して設けられた燃焼ファンと、該燃焼ファンに接続され、該本体内に設けられた第１熱交換器と；
静圧調整ダンパとバーナとを有し、該第１熱交換器に接続されたバーナ・ユニットと、該第１熱交換器に一端が接続されたダクト内に設けられた脱臭触媒層と、該脱臭触媒層出口側ダクトの他端近くに設けられた直火間接切替ダンパと、該ダクトの他端の該脱臭触媒層に接続され、且つ該本体の外部の排気ファンに接続された第２熱交換器と；
天井長手方向に設けられた所要ワーク吊下用トロリ・コンベアと、長手方向に一定間隔で設けられた吹出口を有し、塗装焼付乾燥炉内の一方の側に設けられた吹出ダクトと、且つ長手方向に一定間隔で設けられ吸込口を有し、他方の側に該吹出ダクトと相対して設けられた吸込ダクトと、該吹出ダクトを該本体に接続するダクトと、該本体の外部に設けられた塗装焼付乾燥炉と；
該塗装焼付乾燥炉の該吸込ダクトと該本体とを接続するダクトとから成るヤニ取りユニット付き脱臭兼用熱風発生装置。
【請求項２】
該本体の外部に設けられた該取込みヤニ取り用吸気ファンと、該吸気ファンに接続された該プロセス・ガス・ダクトと、該燃焼ファンと、該本体内に設けられた該第１熱交換器と、該第１熱交換器に接続され、該吸気ファンを経由して吸気する該燃焼ファンのダクトと、該ダクトに接続されている該ヤニ取りユニットとから成り；
吸気口より燃焼エアを該吸気ファンを経由して該ヤニ取りユニットの内部管に送気して冷却用として用い、該塗装焼付乾燥炉より送気された循環エア内に、該塗装焼付乾燥炉内で塗料の焼付乾燥を実施した際に発生するヤニ成分を該ヤニ取りユニットの外側を循環エアを介して通過させ、冷却させてヤニ成分を該ヤニ取りユニットの外側に析出させ、下部に流出させる請求項１記載のヤニ取りユニット。
【請求項３】
該プロセス・ガス・ダクトに接続された該第１熱交換器と、該第１熱交換器に接続され、且つ内部に該バーナとそれに隣接して設けられた静圧ダンパとを有する該バーナ・ユニットとから成り；
該塗装焼付乾燥炉内で加熱されたプロセス・ガスと燃焼エアとを合流させ、該第１熱交換器を通過させて更に昇温し、該バーナの燃焼エアとして利用し、燃焼生成温度を高くして該プロセス・ガスを予備脱臭し、該バーナの燃焼エアとして高温化に耐え得る様に該バーナ内の静圧ダンパを調整して効果的に連続して燃焼を可能とする請求項１記載の静圧設定ダンパ。
【請求項４】
該脱臭触媒層と該第２熱交換器とを互いに接続する該ダクトと、該ダクトに直接的又は間接的に操作可能に設けられた切替ダンパとから成り；
該塗装焼付乾燥炉内を循環する循環エアの浄化程度により該切替ダンパの開度を設定し、該第１熱交換器を通過した該プロセス・ガスと燃焼エアとを３２０〜３５０℃  の範囲で加熱し、該脱臭触媒層内を通過させて完全に脱臭し、次に該第２交換器を通過後大気中に排出させる間接式とし、その際該循環エアを該第２交換器の外側を通過させ、加熱して循環エアとして排熱回収し、該切替ダンパを開いて該脱臭触媒層を通過した該プロセス・ガス及び燃焼エアを循環エアに直接混合して使用する直接的熱利用を可能とし、該塗装焼付乾燥炉の昇温時には、該切替ダンパを開にして直接的運転とし、又所要に応じ、間接的熱交換運転とを選択自在  とする請求項１記載の切替ダンパ。
【請求項５】
天井長手方向に設けられた所要ワーク吊下用トロリ・コンベアと、長手方向に一定間隔で設けられた吹出口を有し、塗装焼付乾燥炉内の一方の側に設けられた吹出ダクトと、且つ長手方向に一定間隔で設けられ吸込口を有し、他方の側に該吹出ダクトと相対して  設けられた吸込ダクトと、該本体の外部に設けられたバーナ直火式塗装焼付乾燥炉と、燃焼用新鮮エア取込口を有するヤニ取り吸気ファン兼用燃焼ファンと、該  燃焼ファンに接続された第１空冷ヤニ取りユニットと、該第１空冷ヤニ取りユニットを該燃焼用新鮮エア取込口と該ヤニ取りファンとの中点に接続するダクトと、該ヤニ取りファンと該第１空冷ヤニ取りユニットとの中点に接続されたバーナ・ユニットと、ポンプを有し、該バーナ・ユニットに接続された水冷ヤニ取り  ユニットと、該水冷ヤニ取りユニットに順次接続された循環ファン、乾燥炉吹出ダクト、バーナ直火式焼付乾燥炉、乾燥炉吸込ダクト、フィルタ・ボックスに接続するダクトとから成り、該バーナ直火式塗装焼付乾燥炉に接続されたヤニ取りユニット。
【発明の詳細な説明】
【０００１】
【産業上の利用分野】
この発明は、ヤニ取りユニット付き脱臭兼用熱風発生装置及びヤニ取りユニットに関し、更に詳しくは所要ワークを塗装焼付乾燥する場合に必ず発生するヤニ成分の除去及び脱臭を実施し、且つ省エネルギーを図るヤニ取りユニット付き脱臭兼用熱風発生装置に関し、更に直火式熱風循環の際も塗装焼付乾燥から発生するヤニ成分の除去を可能とするヤニ取りユニットに関する。
【０００２】
【発明が解決しようとする課題】
（１）従来の塗装焼付乾燥炉内のエアの脱臭については、単独に直接燃焼式と触媒式脱臭装置が提案されているが、該脱臭装置の前にヤニ取りユニットを設けたものは今だ提案されていない。特に、触媒式脱臭装置には、現在触媒の前に前処理剤を置いているが、１年に１回交換する必要があるので、そのメインテナンスが必要であり、又ヤニが触媒に付着すると、脱臭効果が著しく損なわれ、焦臭い匂いが外部に放出される。
【０００３】
（２）バーナの燃焼エアを高温化にすることにより省エネルギーとなるが、従来のバーナには、高温化に耐え得る構成となっていないので、バーナの調整が難しい。
【０００４】
【課題を解決するための手段】
この発明は、前述のヤニ取りユニット付き脱臭兼用熱風発生装置の欠陥を除去するもので、この発明の要旨は、本体と、該本体の外部に設けられ、外部から燃焼用新鮮エアを取込むヤニ取り用吸気ファンと、該取込みヤニ取り用吸気ファンに隣接して設けられ、該吸気ファンに接続されたプロセス・ガス・ダクトと、該本体の内部に設けられ、該ヤニ取り用吸気ファンに接続されたヤニ取りユニットと、該プロセス・ガス・ダクトに設けられ、プロセス・ガスを供給する燃焼ファンと、該燃焼ファンに接続され、該本体内に設けられた第１熱交換器と、静圧調整ダンパとバーナとを有し、該第１熱交換器に接続されたバーナ・ユニットと、該第１熱交換器に一端が接続されたダクト内に設けられた脱臭触媒層と、該ダクトの他端近くに設けられた直火間接切替ダンパと、該ダクトの他端の該脱臭触媒層に接続され、且つ該本体の外部の排気ファンに接続された第２熱交換器と、天井長手方向に設けられた所要ワーク吊下用トロリ・コンベアと、長手方向に一定間隔で設けられた吹出口を有し、該塗装焼付乾燥炉内の一方の側に設けられた吹出ダクトと、且つ長手方向に一定間隔で設けられ吸込口を有し、他方の側に該吹出ダクトと相対して設けられた吸込ダクトと、該本体の外部に設けられた塗装焼付乾燥炉と、一端を該第２熱交換器に接続され、他端を該塗装焼付乾燥炉の該吹出口に接続された循環ファンを有する循環ダクトと、該吸込ダクトと該本体とを接続するダクトと、該塗装焼付乾燥炉の他端に設けられた断気室とから成るヤニ取りユニット付き脱臭兼用熱風発生装置及びバーナ直火式塗装焼付乾燥炉に設けられるヤニ取りユニットである。
【０００５】
【発明の作用】
前述の通り、この発明に係るヤニ取りユニット付き脱臭兼用熱風発生装置及びヤニ取りユニットに於いては、脱臭層の前にヤニ取りユニットを設けたものであるから、塗装焼付乾燥炉に於いて発生したヤニ成分を脱臭兼用熱風発生装置により極めて効果的に除去して脱臭するものである。
【０００６】
【実施例】
この出願の特許請求の範囲の請求項１記載の発明に係るヤニ取りユニット付き脱臭兼用熱風発生装置の実施例を図面について説明する。図１〜６に於いて、脱臭兼用熱風発生装置は、所要長さ、高さ及び幅とを有する長方形本体１０の外部に、外部から燃焼用新鮮エアを取込む取込口１２ｂを有する取込むヤニ取り用吸気ファン１２のダクト１２ａを設け、それを該本体１０内の前端部よりのヤニ取りユニット１６に接続する。
【０００７】
該ダクト１２ａに隣接して該本体１０を貫通する様に下端を嵌合したプロセス・ガス・ダクト１４の上端に該ヤニ取りユニット１６に接続したダクト１２ｃを接続し、該本体１０で該プロセス・ガス・ダクト１４に隣接して燃焼ファン１８のダクト１８ａを設け、その下端を該本体１０内に設けられた第１熱交換器２０に接続する。該第１熱交換器２０は、燃焼エアを予熱して燃焼温度を高くし、１次直燃脱臭をする。該第１熱交換器２０に、燃焼室２６、バーナ２７及び静圧設定ダンパ２８を有するバーナ・ユニット２４の一端を接続し、該バーナ・ユニット２４の他端を再度該第１熱交換器２０に接続する。
【０００８】
該第１熱交換器２０に、内部に白金触媒等を含有する脱臭触媒層３２を内臓したダクト３４の一端を接続し、該ダクト３４の他端近くに直火間接切替ダンパ３６を設け、該ダクト３４の他端に第２熱交換器３８を接続し、該第２熱交換器３８に一端を接続したダクト３８ａの他端を該本体１０の後端部から外側に導き、その先端に排気ファン４０を設け、該排気ファン４０をダクト４０ａを介して大気中に導く様にする（図６にも示す）。従って、該白金触媒脱臭触媒層３２により２次脱臭され、無臭で清浄な空気となって大気中に排気される。
【０００９】
該本体１０の側面から外部に突出する該第２熱交換器３８のダクト３８ｂに循環ダクト４４を接続し、該循環ダクト４４の基部に循環ファン４６を設け、該循環ダクト４４の先端を塗装焼付乾燥炉５０内の後述の該吹出ダクト６２の後端に接続する。該第２熱交換器３８は、該白金触媒脱臭触媒層３２を通過した排気エアを熱回収して排気側に導くものである。
【００１０】
該塗装焼付乾燥炉５０は、その天井長手方向に所要ワーク吊下用トロリ・コンベア（図示せず）を設け、長手方向に一定間隔で設けられた吹出口６２ａ、６２ａ・・を有する吹出ダクト６２を該塗装焼付乾燥炉５０内の一方の側に設け、且つ長手方向に一定間隔で設けられ吸込口６４ａ、６４ａ・・を有する吸込ダクト６４を該塗装焼付乾燥炉５０内の他方の側に該吹出ダクト６２と相対して設けて成る。
【００１１】
該塗装焼付乾燥炉５０の該吸込ダクト６４の後端をダクト６６を介して該本体１０の前端に接続し、該塗装焼付乾燥炉５０の後端を断気室６８に接続する。
【００１２】
従って、請求項１記載の発明に係るヤニ取りユニット付き脱臭兼用熱風発生装置１０に於いては、該取込口１２ｂから取込んだ新鮮エアは、冷却用として該ヤニ取りユニット１６の内側を通過した後、該塗装焼付乾燥炉５０から加熱されたプロセス・ガスの一部と合流し、該第１熱交換器２０を通過するので更に加熱され、該バーナ２７の燃焼用エアとして利用される。
【００１３】
該バーナ２７により加熱されるので、該プロセス・ガスが第１次脱臭され、更に該白金触媒脱臭触媒層３２を通過させるので、該プロセス・ガスが完全に脱臭される間接方式と、該白金触媒脱臭触媒層３２を通過後、該第２熱交換器３８の内側を通過させず熱風循環系に排気し、排熱を直接利用する方式となる。
【００１４】
該熱風循環系は、該塗装焼付乾燥炉５０で発生したヤニ成分を、該ヤニ取りユニット１６の外側を通過させて循環空気が冷却され、該ヤニ取りユニット１６の該内部管１６ａの外側にヤニが析出して付着する。
【００１５】
循環空気は、該第２熱交換器３８の外側を通過して熱交換されて加熱され、該塗装焼付乾燥炉５０を循環する循環系とし、昇温直火式、標準間接式により該塗装焼付乾燥炉５０内で発生するヤニ成分を析出、捕集する。従って、触媒脱臭兼用の熱風発生部を有する一連のシステムと成る。
【００１６】
請求項２に於いて、該本体１０の外部に設けられた該ヤニ取り用吸気ファン１２と、該ヤニ取り用吸気ファン１２に接続されｎた該プロセス・ガス・ダクト１４と、該燃焼ファン１８と、該本体１０内に設けられた該第１熱交換器２０と、該第１熱交換器２０に接続され、該吸気ファン１２を経由して吸気する該燃焼ファン１８のダクト１８ａと、該ダクト１８ａに接続されている該ヤニ取りユニット１６とから成る。
【００１７】
吸気口１２ｂから該吸気ファン１２を介して取込まれた２０℃の新鮮エアは、該ヤニ取りユニット１６の該内部管１６ａに送気され、冷却用として使用され、該塗装焼付乾燥炉５０から送気された循環エア内に該塗装焼付乾燥炉５０内で塗料の焼付乾燥を実施した際に必ず発生するヤニ成分を、該ヤニ取りユニット１６の該内部管１６ａの外側を循環エアを通過させるので、循環エアは冷却され、ヤニが該ヤニ取りユニット１６の外側に析出付着し、該下部容器１６ｂに流出したヤニを回収可能とする。
【００１８】
図１〜４に於いて、請求項３記載の静圧設定ダンパ２８は、該第１熱交換器２０に接続された該燃焼室２６と該バーナ２７とを有するバーナ・ユニット２４の一端を接続し、該バーナ２７に静圧ダンパ２８を設ける。該静圧ダンパ２８は、該塗装焼付乾燥炉５０内で加熱されたプロセス・ガスと燃焼エアとを合流させて該第１熱交換器２０を通過させて更に昇温し、該バーナの燃焼エアとして利用し、燃焼生成温度を高くして該プロセス・ガスを予備脱臭し、該バーナ２７の燃焼エアとして高温化に耐え得る様に該バーナ２７内の該静圧ダンパ２８を調整して効果的燃焼を連続して可能とする。
【００１９】
請求項４に於いて、該脱臭触媒層出口側ダクトの他端近くに直火間接切替ダンパ３６を設けるが、該直火間接切替ダンパ３６は、直接的又は間接的に操作可能であり、該塗装焼付乾燥炉５０内を循環する循環エアの浄化程度により該切替ダンパ３６の開度を設定し、該第１熱交換器２０を通過した該プロセス・ガスと該燃焼エアとを３２０〜３５０℃の範囲で加熱し、該脱臭触媒層３２内を通過させて完全に脱臭し、次に該第２交換器３８を通過後大気中に排出させる間接式とし、その際該循環エアを該第２交換器３８の外側を通過させ、加熱して循環エアとして排熱回収し、該切替ダンパ３６を開いて該脱臭触媒層３２を通過した該プロセス・ガス及び該燃焼エアを該循環エアに直接混合して使用する直接的熱利用を可能とし、該塗装焼付乾燥炉の昇温時には、該切替ダンパ３６を開にして直接的運転とし、又所要に応じ、間接的熱交換運転を選択自在とする。
【００２０】
図７、８に示す通り、請求項５記載のヤニ取りユニットは、燃焼用新鮮エア取込口１２ｂを有するヤニ取り吸気ファン兼用燃焼ファン１２を第１空冷ヤニ取りユニット７４に接続し、該第１空冷ヤニ取りユニット７４を該エア取込口１２ｂと該ヤニ取り吸気ファン１２との中点に接続して循環する構成とする。次に、該ヤニ取り吸気ファン１２と該空冷ヤニ取りユニット７４との中点をバーナ・ユニット７６に接続し、該バーナ・ユニット７６をポンプ７８ａを有する水冷ヤニ取りユニット７８に接続する。
【００２１】
又、該水冷ヤニ取りユニット７８を循環ファン１８、乾燥炉吹出ダクト８２、バーナ直火式焼付乾燥炉８０、乾燥炉吸気ダクト８４、フィルタ・ボックス７２及び空冷ヤニ取りユニット７４の順序で該バーナ・ユニット７６に接続し、循環させる構成とする。
【００２２】
特に、水溶性塗料、水性塗料の焼付乾燥炉８０の場合には、水分が多いので２段式又は大型１段式にする必要がある。該２段式の場合、１段目はバーナ燃焼エアに利用するので、新鮮エアを該空冷式ヤニ取りユニット７４の内管に送気し、外側を循環エアが通過するので、循環エアが冷却されてヤニを析出、捕集可能となる。更に、２段目は、該水冷式ヤニ取りユニット７８として内管に水を通水し、外側を循環エアが通過するので、循環エアが冷却されてヤニを析出する。通水した水は、温水になるので、別の用途に利用出来る。
【００２３】
該１段式の場合は、大型水冷式ヤニ取りユニット７８とする必要があり、水を内管に通水し、外側を循環エアが通過するので、循環エアは冷却され、ヤニを析出する。通水した水は、前処理装置等に利用し、省エネルギーを図る事が可能となる。又、該２段目を１段目とし、該水冷式２段目を空冷式としてもよい。溶剤型塗料の焼付乾燥炉の場合は、空冷式又は水冷式１段のヤニ取りユニットとしてもよい。
【００２４】
【発明の効果】
（１）前述の通り、この発明に係るヤニ取りユニット付き脱臭兼用熱風発生装置１０に於ては、脱臭触媒層の前にヤニ取りユニットを設けたので、塗装焼付乾燥炉５０で必ず発生するヤニ成分を該脱臭兼用熱風発生装置１０により確実且つ効果的に除去して完全に脱臭し、焦臭い匂いを清浄な空気として大気中に排出可能となる。
【００２５】
（２）該脱臭兼用熱風発生装置１０に設けられた該ヤニ取りユニット１６に該取込み口１２ｂより燃焼用エアを該吸気ファン１２を経由し、該ヤニ取りユニット１６の該内部管１６ａに送気し、冷却用として用い、該塗装焼付乾燥炉５０より送気された循環エア内に、該焼付乾燥炉５０内で塗料の焼付乾燥を実施した際に発生するヤニ成分を、該ヤニ取りユニット１６の該内部管１６ａの外側を循環エアを通過、冷却させ、該ヤニ成分を該ヤニ取りユニット１６の外側に析出し、該下部容器１６ｂに流出した該ヤニ成分を該下部容器１６ｂから外部に吸出、排出する構成なので操作が極めて容易となり、省エネルギーを図れる様になる。
【００２６】
（３）更に、該バーナ・ユニット２４の該バーナ２７に該静圧設定ダンパ２８を設けたので、該バーナ・ユニット２４が異常に高温化しても、該静圧設定ダンパ２８が作動して温度を調節し、機器を保護する。
【００２７】
（４）請求項５記載の通り、該バーナ直火式焼付乾燥炉８０に、該フィルタ・ボックス７２と該第２空冷ヤニ取りユニット７４、該バーナ・ユニット７６及び該水冷ヤニ取りユニット７８とを順次接続したので、該バーナ直火式焼付乾燥炉８０に於いて発生するヤニ成分の除去が完全に実施可能となる。
【００２８】
【図面の簡単な説明】
【図１】この出願の請求項１記載の発明に係るヤニ取りユニット付き脱臭兼用熱風発生装置及び焼付乾燥炉の実施例の一部切欠透視断面略図である。
【図２】図１に示すヤニ取りユニット付き脱臭兼用熱風発生装置の平面略図である。
【図３】図２に示すヤニ取りユニット付き脱臭兼用熱風発生装置のIII−III線側面略図である。
【図４】図２に示すヤニ取りユニット付き脱臭兼用熱風発生装置のIV−IV線断面略図である。
【図５】この出願の請求項５記載の発明に係るヤニ取りユニットの平面略図である。
【図６】図１に示すヤニ取りユニット付き脱臭兼用熱風発生装置のブロック図である。
【図７】バーナ直火式焼付乾燥炉に設けられるヤニ取りユニットの部分拡大平面略図である。
【図８】図７に示すバーナ直火式焼付乾燥炉のヤニ取りユニットのブロックである。
【符号の説明】
１０・・・脱臭兼用熱風発生装置本体；
１２・・・吸気ファン；
１４・・・プロセス・ガス・ダクト；
１６・・・ヤニ取りユニット；
１８・・・燃焼ファン；
２０・・・第１熱交換器；
２４・・・バーナ・ユニット；
２６・・・燃焼室；
２７・・・バーナ；
２８・・・静圧設定ダンパ；
３２・・・脱臭触媒層；
３４・・・ダクト；
３６・・・直火間接切替ダンパ；
３８・・・第２熱交換器；
４０・・・排気ファン；
４６・・・循環ファン；
５０・・・塗装焼付乾燥炉；
６２・・・吹出ダクト；
６４・・・吸込ダクト；
６０・・・バーナ直火式焼付乾燥炉；
７２・・・フィルタ・ボックス；
７４・・・空冷ヤニ取りユニット；
７６・・・バーナ・ユニット；
７８・・・水冷ヤニ取りユニット；
８０・・・バーナ直火式焼付乾燥炉；
８２・・・乾燥炉吹出ダクト；
８４・・・乾燥炉吸込ダクト。
【図１】
0004324300.tif 000002
【図２】
0004324300.tif 000003
【図３】
0004324300.tif 000004
【図４】
0004324300.tif 000005
【図５】
0004324300.tif 000006
【図６】
0004324300.tif 000007
【図７】
0004324300.tif 000008
【図８】
0004324300.tif 000009